(57)【特許請求の範囲】
【請求項１】
火災発生時に煙感知器４８が動作で制御回路５０により乗りかご３を最上階に運転休止するためにスイッチ５１にカム５２を当接させるものにおいて、第２のスイッチ５４とカム５３の当接によりつり合いおもり４が運転休止すると、乗りかご３のレール５の裏側のつり合いおもり４の不動部位の左側にコ字形状の枠９を、右側にコ字形状の枠１０により構成した四角形状の枠１２と、つり合いおもり４の上方にロープ防火壁を取着した四角形状の枠１７のあいだのレベルを合わせ、防火戸制御回路５５の動作により、１階床１ＦＬの不動部位に設けた四角形状の枠１２の左側の枠９上の防火戸１８と、右側の枠１０上の防火戸１９を、つり合いおもり４の上方に取着したロープ防火壁１６を有する四角形状の枠１７上に転倒させ、防火戸１８、１９先端の中央の凹面で四角形状の枠１７と嵌め合せ、ロープ防火壁１６を介してロープ３４回りを１階床１ＦＬのつり合いおもり回りを防火戸１８、１９により密閉閉鎖し、乗りかご３回りにおいては、１階床１ＦＬと２階床２ＦＬと３階床３ＦＬの防火戸１においては、昇降路のレール５の裏側の不動部位の左側にコ字形状の枠７と、反対の右側のコ字形状の枠８により構成した四角形状の枠１１を設けて、昇降路の不動部位の後方の枠１１上に蛇腹式の防火戸３７を起立状態に載架し、防火戸制御回路５５の動作で、昇降路の後方から引っ張り出し四角形状の枠１１上を蛇腹式の防火戸３７を動作させ、両レール５、５の中央まで蛇腹式の防火戸３７を動作させ、昇降路の前方の不動部位の建物床内の枠１１上に引き戸式の防火戸４２を載架し、動作した防火戸制御回路５５で昇降路前方の建物床内から引き出し四角形状の枠１１上を引き出式の防火戸４２を動作させ、両レール５、５の中央まで引き戸式の防火戸４２を動作させ、引き出された引き戸式の防火戸４２先端に枢着した枠３６と、引っ張り出された蛇腹式の防火戸３７先端を突き合せ密閉封止させ、両レール５、５の中央で密閉封止し、乗りかご３回りの不動部位と動作部位の隙間を密閉封止し、つり合いおもり４回りにおいては、２階床２ＦＬと３階床３ＦＬを、四角形状の枠１２の左側の枠９上に起立した防火戸２１と、右側の枠１０上に起立した防火戸２２を、四角形状の枠１２上に転倒させて密閉封止し、２階床２と３階床３のつり合いおもり４回りのロープ３４回りを、防火戸制御回路５５の動作により、転倒する防火戸２１、２２先端の中央でロープ３４に転倒させロープ穴３１へと割り込ませロープ３４を包含させ、転倒する防火戸２１、２２先端でロープ３４回りを密閉封止し、昇降路の乗りかご３とつり合いおもり４の不動部位と動作部位に四角形状の枠を設け、不動部位と動作部位の隙間で乗りかご３とつり合いおもり４を上下動可能にし、昇降路の不動部位と乗りかご３とつり合いおもり４の動作部位の隙間を完全に密閉封止したと検出すると防火戸制御回路５５で、常開接点５５ａが閉じ、泡消火制御回路５６を動作させるようにして成る昇降路煙密閉封止装置。
【発明の詳細な説明】
【０００１】
【発明の属する技術分野】
本発明は、ビル火災において、昇降路に流入した煙が上層階へ拡散することを防止するに好適な昇降路煙密閉封止装置。
【０００２】
【従来の技術】
従来の昇降路密閉閉装置は、火災発生時、乗りかごを運転休止させた後、防火戸起動手段（安全板止３）により起立転倒式の防火戸により昇降路を密閉封止させ、レール回りりおよびロープ回りを密閉させる昇降路煙密閉構造が記載されている。（例えば、特許文献１を参照）
同様に火災発生時、乗りかごを最上階に運転休止させる点が記載されている。（例えば、特許文献２を参照）
蛇腹式の昇降路封止手段が記載されている。（例えば、特許文献３を参照）
昇降路の各階出入口の隙間を泡により煙密閉封止させる。（例えば、特許文献４を参照）
ここで、特許文献１に記載された発明において、防火戸起動手段として、電磁石と電動機を採用すること、また、ロープ回りを密閉させるために、ロープ防火壁のロープソケットおよび防火戸の先端中央部のロープソケットを用いるものとすること、さらに、レール回りを密閉する際に、レールガイド封止部材を用いることと、当業者が適宜なし得る設計変更にすぎない。また、特許文献４に記載された発明において、泡により煙密閉封止させる際に、電磁弁により作動させる泡放射ノズルとパイプシャワーを採用することは、当業者が適宜なし得る設計変更に過ぎず、そして、特許文献１に記載された発明において、同じエレベータの技術分野における特許文献２−４に記載された点を援用するものとすることは、当業者が容易に想到し得たことである。また、その際、上記防火戸の一部を、引き戸式とすること、泡により密閉する際は、当業者が適宜になし得る設計的事項に過ぎない。
【特許文献１】
特開平１０−４５３４６  号公報
【特許文献２】
特開平５−３１９７２１  号公報
【特許文献３】
特開平８−１３３６１７  号公報
【特許文献４】
特開２００２−３８８３６号公報
一般に、ビル火災が発生すると、昇降路内に煙が流入し、昇降路が煙突の作用により、風船形に膨張するエアバックを設け、エアバックを膨張させ、昇降路を密閉させる手段を設けたものが提案されている。
【０００３】
【発明が解決しようとする課題】
上記、従来技術において煙が多いとき、風船を膨張させた風船、エアバックだけでは、どうしても煙が通過し煙を完全に遮断できないという問題があつた。
本発明は上記の欠点に鑑みて、煙の量が多くても、煙が上方へ流入することを阻止することができる昇降路煙密閉封止装置を提供するものである。
【０００４】
【課題を解決するための手段】
火災発生時で煙感知器が動作で制御回路により乗りかごを最上階に運転休止するためにスイッチとカムを当接させるものにおいて、第２のスイッチとカムが当接によりつり合いおもりを運転休止すると、つり合いおもりの不動部位に設けた四角形状の枠と、つり合おもりの上方のロープ防火壁を取着した四角形状の枠のあいだのレベルをあわせ、防火戸制御回路の動作により、１階床１ＦＬの防火戸の不動部位に設けた四角形状の枠の、左側の枠上に防火戸を、右側には枠上に防火戸を、つり合いおもりの上方に取着したロープ防火壁を有する四角形状の枠上に転倒させ、防火戸先端の中央部の凹面を四角形状の枠に両防火戸を嵌め合わせ、ロープ防火壁を介してロープ回りを１階床１ＦＬの防火戸のつり合いおもり回りの防火戸により密閉封止させる。
【０００５】
乗りかご回りにおいて１階床１ＦＬと２階床２ＦＬと３階床３ＦＬの防火戸においては、レールの裏側の不動部位の左側にコ字形状の枠と、反対の右側のコ字形状の枠により構成した四角形状の枠を設けて、昇降路の不動部位の後方の枠上に蛇腹式の防火戸を起立状態に載架し、防火戸制御回路の動作で、昇降路の後方から引っ張り出し四角形状の枠上を蛇腹式の防火戸を動作させ、レールの中央まで蛇腹式の防火戸を動作させ、昇降路前方の建物床内の四角形状の枠上に引き戸式の防火戸を載架し、動作した防火戸制御回路の動作で、昇降路前方の建物床内の四角形状の枠上を引き出式の防火戸を動作させ、レールの中央まで引き戸式の防火戸を動作させ、当該引き出された引き戸式の防火戸先端に枢着した枠に、引っ張り出された蛇腹式の防火戸を突き合せ閉鎖させ、乗りかご回りの不動部位と動作部位の隙間を密閉封止させる。
【０００６】
つり合いおもり回りで２階床２ＦＬと３階床３ＦＬの防火戸においては、四角形状の枠の右側の枠上に起立した防火戸を、反対の右側の枠上に起立した防火戸を、四角形状の枠上に転倒させて密閉封止し、ロープ回りの２階床２ＦＬと３階床３ＦＬの防火戸のつり合いおもり回りにおいて、防火戸制御回路の動作で、転倒する防火戸先端の中央で、ロープ穴に割り込ませて、ロープを包含させ、転倒する２枚の防火戸先端でロープ回りを密閉封止して２階床２ＦＬと３回床３ＦＬの防火戸１のつり合いおもり回りを密閉封止させたものである。昇降路の不動部位と乗りかごとつり合いおもりの動作部位に分け、不動部位に四角形状の枠を設け、不動部位と動作部位の隙間を密閉封止させ、乗りかごとつり合いおもりを上下動可能にして成る。
昇降路の不動部位と動作部位の隙間を防火戸で完全に密閉封止したことを検出すると防火戸制御回路で泡消火制御回路を動作させるようにしたものである。
【０００７】
【実施例】
実施例について図を参照して説明すると、１は、昇降路の乗りかご３とつり合いおもり４の位置と、１階床１ＦＬと、２階床２ＦＬと、３階床３ＦＬの位置に設けた防火戸で、１階床１ＦＬの防火戸１の下方につり合いおもり４が位置し、３階床３ＦＬの防火戸１の上方に乗りかご３が位置している。
昇降路内の不動部分位置と乗りかご３とつり合いおもり４の動作部分位置とに分けたところに特徴が有り、以後は不動部分位置を不動部位と、動作部分位置を動作部位とする。
昇降路内の不動部位と乗りかご３とつり合いおもり４の動作部位とに分け、防火戸取付枠を不動部位と動作部位に分けて設け、乗りかご３とつり合いおもり４を上下動可能にしている。
図３から解るように動作部位の乗りかご３のメーンレール５、５の裏側の不動部位に、左側にコ字形状の防火戸取付枠７を、右側にコ字形状の防火戸取付枠８を設けて構成した四角形状の防火戸取付枠１１を設け、動作部位のつり合いおもり４の両レール６、６の不動部位と、左側にコ字形状の防火戸取付枠９を設け、右側にコ字形状の防火戸取付枠１０を設けて構成した四角形状の防火戸取付枠１２を構成している。
左側を壁に取着した防火壁１３と防火壁２を介して、四角形状の防火戸取付枠１１を取着し、前後の壁に取着した防火壁１５と防火壁１４を介して、四角形状の防火戸取付枠１２を取着して、防火戸取付枠を不動部位と動作部位に分けて設けることにより、乗りかご３とつり合いおもり４を上下動可能にしている。
左側を壁に取着した防火壁１３と、防火壁２を介して、四角形状の取付枠１１を取着し、四角形状の防火戸取付枠１１、１２を取着し、取付枠１２の右側を壁に、そして防火壁１４、１５で壁に取着するようして昇降路内の不動部位を完全に密閉封止構造としたものである。
【０００８】
図５において、１階床１ＦＬの防火戸１を示す平面図で、つり合いおもり４回りにおいては、四角形状のロープ防火壁１６と防火戸で対応するものと、図７において、２階床２ＦＬと３階床３ＦＬにおいて、防火戸でロープ３４に直接対応させる処を示す図である。
図４、５において、１階床１ＦＬの防火戸１の位置で、ロープ防火壁１６と防火戸１８、１９で、防火戸１８、１９の下方につり合いおもりが位置している。
図８により説明すると、ロープ防火壁１６の回りを四角形状にして防火戸取付枠１７で囲み、四角形状のロープ防火壁１６を取付ブラケット２５、２５でつり合いおもり４の上方に一体的に取り付けてあり、ロープ防火壁１６はつり合いおもり４と移動動作する。
昇降路のメーンレール５の裏側で、両レール６、６の裏側のつり合いおもり４の不動部位に設けた四角形状の防火戸取付枠１２と、つり合いおもりの上方に取着した四角形状の防火戸取付枠１７のレベルを合わせるようにしてあり、四角形状の枠１２で、左側の枠９上の起立状態に防火戸１８を、右端の枠１０上の起立状態に防火戸１９を設け、つり合いおもり４回りで２枚の防火戸１８、１９を転倒させて密閉封止することが出来るようにしてある。
【０００９】
図９、図１０、図１１により説明すると、１階床１ＦＬの防火戸１の位置で、つり合いおもり４回りの従来技術の知られているロープ防火壁１６で、つり合いおもり４の上方でロープ３４に組み付け、ロープ防火壁１６によりロープ３４回りを密閉閉鎖させる従来の方法は、三角形状で斜面部に半円穴のロープ穴３０を３箇所を対称に設けた厚板ゴムのロープソケット３５の２枚を対称組み合わせて、ロープ防火壁１６内でロープ３４を挟み込み厚板ゴムのロープソケット３５で包含し組み付け、ロープ押さえ板２４で組み付け据付工事時に挟み込み組み立て取着するようにしてある。
当該起立転倒式の防火戸１８、１９は枠１２上に、自重により転倒する構造になっており、９０°転倒可能に電磁石２８で起立させられた状態にあり、電磁石２８は枠９、１０にそれぞれ取付ブラケットにより取り付けられている。
防火戸の起立状態にしたの防火戸１８、１９の下方の左右両側には回転軸２６，２６が突設してあり、回転軸２６は、この回転軸に対称位置にある枠９、１０内に設けた軸受に軸支され、従って、防火戸は回転軸２６を軸として、図5に示す位置から防火戸は１８、１９は、防火戸制御回路５５の動作で、２枚の防火戸１８、１９は転倒させ、密閉封止する。
図５から解るように防火戸の先端の中央部に施錠装置の一部の鍵部２７を突設してある。鍵部２７は防火戸を転倒閉鎖した時にはロープ防火壁１６の四角形状の枠１７内に設けてある鍵受部３３と嵌合固着させる。
当該起立転倒式の防火戸１８、１９の先端中央部には凹面部を形成し、防火戸１８、１９先端の中央部の凹面を、つり合いおもり４の上方に取付ブラケット２５、２５で取着されたロープ防火壁１６の四角形状の枠１７上に、当該防火戸１８、１９先端の中央部の凹面を、２枚の両防火戸１８、１９の転倒させて、つり合いおもり４の上方の四角形状のロープ防火壁１６に嵌まり込ませ密閉封止し、当該防火戸１８、１９先端の両側の凸面のレールガイド封止部材２０のレールガイド２３で両レール６、６に面当てさせて両レール６、６回りで密閉封止させるものである。
【００１０】
図７はつり合いおもり４回りの中間階のロープ３４に対し、図１３で解るように防火戸取付枠９、１０上の起立状態の２枚の防火戸２１、２２先端を合わせ閉鎖する。
図６は起立したの防火戸が転倒し閉鎖状態を示すものである。
当該起立状態の防火戸２１、２２の下方の左右両側に回転軸２６、２６が突設してあり、回転軸２６は、この回転軸に対称位置にある枠９、１０内に設けた軸受けに軸支され、したがって、防火戸は、この回転軸２６を軸とし、図１３に示す現在位置から回転軸２６を軸として、現在位置から防火戸を転倒させ、防火戸２１、２２を図６の如く閉鎖状態にし、つり合いおもり回りを密閉封止する。
図７から解るように防火戸２２先端中央部をずらして施錠装置の一部である鍵部２７が突設してあり、鍵部２７は防火戸２２を閉鎖したときに、防火戸２１に設けてある鍵受部３３と嵌合可能にしてある。
【００１０】
昇降路の２階床２ＦＬ、と３階床３ＦＬ、のつり合いおもり４においては、つり合いおもりの中央部に位置するロープ３４（この場合３本掛け）に、２枚の防火戸２１、２２先端の中央部で、ロープ３４に対応させたもので、該ロープ３４に対して図１４、１５に示すように防火戸２１、２２先端の中央のロープソケット３５に半円穴３０をピッチＰで対称に、図１４の中央から左側えと防火戸２１のロープソケット３５に割り込み溝３２ａをピッチＰでロープ穴３１に繋ぎ、図１５の中央から右側えと防火戸２２のロープソケット３５に割り込み溝３１ａをピッチＰでロープ穴３１と繋げて、転倒する防火戸２１、２２のロープソケット３５のロープ穴３１へ割り込ませ、ロープ３４を包含させて、ロープ３４回りで密閉封止させる。
図６においては、２階床２ＦＬと3階床３ＦＬの転倒閉鎖は従来知られていて、起立状態の防火戸２１、２２先端で両側端の凸面にしたレールガイド封止部材２０のレールガイド２３を両レール６、６に面当てさせて両レール６、６回りを密閉封止し、四角形状の防火戸取付枠１２の枠９、１０上の起立転倒式の防火戸２１、２２の転倒により、その両レールガイド封止部材２９，２０により不動部位の枠９、１０と、つり合いおもり４の動作部位の隙間を密閉封止させ、つり合いおもり４回りを完全に密閉封止するこれららは既に知られている。  レールガイド封止部材２０のレールガイド２３の材質は、温度耐性ゴム材、シリコン、金属ブラシ、軽量形金属合成の厚板ゴム材とする。
【００１１】
図４、５、１６について説明すると、昇降路内の乗りかご３回りの蛇腹式の防火戸３７の閉鎖、開放状態を示すもので、１階床１ＦＬ、と２階床２ＦＬ、と３階床３ＦＬ、の動作部位の乗りかご３回りに、蛇腹式の防火戸３７（この場合４枚戸）を設け、蛇腹式の防火戸３７は四角形状の枠１１の後方のコ字形状の枠７、８上に載架され、図２２で解るように電磁石２８は枠７、８に取付ブラケットにより取り付けられている。
防火戸制御回路５５の動作で、蛇腹式の防火戸３７の下方の左右両側に回転軸２６、２６を突設してあり、回転軸２６はこの回転軸に対称位置にある枠７、８内に設けた軸受けに軸支され、したがって、防火戸３７はこの回転軸２６を軸として、現在位置から回転軸２６を軸として、図１６の四角形状の枠１１の枠７、８上を動作し図１８に示すように蛇腹式の防火戸３７は閉鎖状態になるものである。
図４、１６、１７、２２において、昇降路内後方の蛇腹式の防火戸３７が閉鎖する時には、防火戸制御装置５５が制御で、４枚の蛇腹式の防火戸３７は後方の枠７，８上から引っ張り出され、乗りかごの中央まで四角形状の枠１１上を動作させて、乗りかご３回りの動作部位と不動部位の隙間を密閉封止させる。
蛇腹式の防火戸３７の先端中央部には施錠装置の一部である鍵部３９が突設してある。鍵部３９は防火戸４２が閉鎖状態のとき防火戸４２の先端中央部に設けてある鍵受部４５と嵌合可能にしてある。
【００１２】
図４、５、１６について説明すると、昇降路前方の建物床内の四角形状の枠上に引き戸式の防火戸４２を載架した図であり、１階床１ＦＬと、２階床２ＦＬと、３階床３ＦＬの、図２３で解るように建物床内の四角形状の枠１１上の引き戸式の防火戸４２は、防火戸制御回路５５の動作で、昇降路前方から四角形状の枠１１の枠７、８上を引き戸式の防火戸４２は動作して、引き出した引き戸式の防火戸４２先端を乗りかご３の両レール５、５の中央まで動作させる。
図１２、図１９は、従来から知られている、建物内から閉鎖位置まで移動して閉鎖した引き戸式の防火戸４２と蛇腹式の防火戸３７の両側の凸面の首長、首無しレールガイド封止部材２０、２０のレールガイド２３、２３を両レール５、５に面当てさせて両レール５、５回りを密閉封止させることは既に知られている。
図４，２１について説明すると、昇降路内において防火戸３７、４２の閉鎖状態を完全にするため後方の蛇腹式の防火戸３７を前方の建物内の引き戸式の防火戸４２の先端に枢着された防火戸取付枠３６上に、乗りかご３の両レール５、５の中央において転倒し閉鎖させ、両防火戸３７と４２先端の隙間を完全に密閉封止させるようにしたものである。
図２４、図２５は、従来知られている昇降路の出入口に泡放射ノズル５７とパイプシャワー式ノズル５８を設けて、昇降路出入口の、上方でドア６０とドアポケットカバー６１と、下方で敷居とドア６０の隙間を、及び昇降路の両側端の三方枠とドア６０の隙間を泡を噴出させて、各階の出入口とドア６０回りを密閉封止させることは既に知られている。
【００１３】
火災が発生し、煙感知器４８が動作して制御回路５０により乗りかご３を最上階に上動運転させスイッチ５１にカム５２が当接して切れると乗りかご３を運転休止させるものにおいて、本発明は、１階床１ＦＬ、のつり合いおもり４に設けた第２のスイッチ５４とカム５３の当接して閉じると制御回路５０を制御停止させ、つり合いおもり４の左右の防火戸１８、１９と防火戸取付枠１２と防火戸取付枠１７のあいだのレベルを合わせ、つり合いおもり４を運転休止させるものである。
上述のことを図２０で説明すると、火災が発生し、煙感知器４８が動作すると常開接点４８ａが閉じて、リレー４９が励磁し、常開接点４９ａが閉じて、制御回路５０で乗りかご３を最上階に上昇運転してスイッチ５１にカム５２を当接させるものに、
本発明は、
電源（＋）                                                            電源（−）
┣━━━━━━━┳┳常閉接点５４ａ━━常開接点４９━━━━━  制御回路５０━┫
┗常開接点５１ａ┛┗常開接点５４ｂ┳━━━━━━━━防火戸制御回路５５━━━┫
┗━常開接点５５ａ━━泡消火制御回路５６━┛
の回路で構成、乗りかご３は最上階を運転休止させるためにスイッチ５１とカム５２を当接させるものに、本発明は、つり合いおもり４の第２のスイッチ５４ａに直結させて、カム５２に当接しスイッチ５１が切れても制御回路５０は制御させ、スイッチ５４がカム５３と当接することで常閉接点５４ａが開き、制御回路５０を制御停止させ、つり合いおもり４の左右の防火戸１８、１９と防火戸取付枠１２と防火戸取付枠１７のあいだのレベルを合わせてつり合いおもり４を運転休止させるようにしたもので、常開接点５４ｂが閉じ、つり合いおもり４の運転休止で防火戸制御回路５５を制御して、つり合いおもり４の防火戸１８、１９を転倒させ、つり合いおもり４を密閉封止し、防火戸制御回路５５を動作させ、昇降路後方にある蛇腹式の防火戸３７を乗りかご３の中央まで枠上を動作させ引っ張り出し、昇降路前方にある引き戸式の防火戸４２を引き出して枠上を動作させ、当該蛇腹式の防火戸３７先端を、乗りかご３の中央まで引き出した引き戸式の防火戸の枢着した枠３６に転倒閉鎖させ、当該防火戸先端の両側端のレールガイド封止部材２０，２０で両レール５、５回りを密閉封止し、昇降路の不動部位と乗りかご３とつり合いおもり４の動作部位の隙間を完全に密閉封止したと検出すると、防火戸制御回路５５の動作により、常開接点５５aが閉じ、泡消火制御回路５６を制御させるようにしたものである。
【００１４】
【発明の効果】
本発明は、火災発生時、煙感知器が動作で、制御回路により乗りかごを最上階に運転休止させるためにスイッチとカムを当接させるものにおいて、第２のスイッチとカムが当接することによりつり合いおもりを運転休止すると、昇降路のつり合いおもりの不動部位に設けた四角形状の四角形状の枠と、つり合いおもりの上方のロープ防火壁を取着した四角形状の枠とレベルを合わせて、防火戸制御回路の動作で、つり合いおもりの１階床１ＦＬの、不動部位に設けた四角形状の枠上で左右側に２枚の防火戸は転倒閉鎖し、２枚の転倒する防火戸先端中央部の両凹面で、つり合いおもりの上方にロープ防火壁と一体に取着した四角形状の枠上と、防火戸先端中央部の凹面を嵌め合わせ、2枚の防火戸先端の凹面でロープ防火壁回りを密閉封止し、ロープ回りをロープ防火壁を介して密閉封止させて昇降路（１階床）のつり合いおもり回りを密閉封止し、１階床１ＦＬと，２階床２ＦＬと，３階床３ＦＬ、の乗りかご回りにおいて、昇降路の両レールの裏側の不動部位に設けた四角形状の後方の枠上に起立状態に載架した蛇腹式の防火戸は、防火戸制御回路の動作で、その後方から四角形状の枠上を動作させて、両レールの中央まで蛇腹式の防火戸先端を動作させ、昇降路前方の建物床内の四角形状の枠上に引き出し式の防火戸を載架し、防火戸制御回路の動作で、前方から引き出されて枠上を引き戸式防火戸を動作させて、両レールの中央まで引き戸式の防火戸を動作させ、当該引き出された引き戸式の防火戸先端に枢着した枠で、両レールの中央で、引っ張り出された蛇腹式の防火戸の先端で密閉封止させて乗りかご回りの不動部位と動作部位の隙間させる。
つり合いおもりにおいては２階床２ＦＬと、３階床３ＦＬの、つり合いおもり回りにおいては、四角形状の枠で左右両側の枠上に２枚の起立させた防火戸を、四角形状の枠上に転倒させ密閉封止止、ロープ回りにおいて、防火戸制御回路の動作で、転倒する防火戸先端の中央で、ロープ穴へ割り込ませて、ロープを包含させ、転倒する２枚の防火戸先端でロープ回りを密閉封止させ、２階床２ＦＬと、３階床３ＦＬの、つり合いおもり回りの不動部位と動作部位の隙間を密閉封止させたから、昇降路に流入した煙が上層階へ拡散するのを防止し、昇降路の乗りかごとつり合いおもりの不動部位と動作部位に四角形状の枠を設け、不動部位と動作部位の隙間で乗りかごとつり合いおもりを上下動可能にし、不動部位と動作部位の隙間を防火戸で密閉封止し、昇降路の不動部位と動作部位の乗りかごとつり合いおもりの隙間を完全に密閉封止と検出すると防火戸制御回路で泡消火制御回路を動作させるようにしたから、昇降路の煙突作用を解消し、火災の延焼を防止することができる効果は大である。
【００１５】
【図面の簡単な説明】
【図１】本発明の昇降路正面図である。
【図２】本発明の昇降路側面図である。
【図３】本発明の昇降路内不動部位と防火戸取付枠の構造図である。
【図４】本発明の図１のA―A′断面視図の昇降路内の防火戸閉鎖状態の構造図である。
【図５】本発明の昇降路内の防火戸開放状態を示す構造図である。
【図６】本発明の図４のＢ―Ｂ′断面視図で昇降路内防火戸の閉鎖状態の構造図である。
【図７】本発明の昇降路内の防火戸開放状態を示す構造図である。
【図８】本発明のつり合いおもりとロープ防火壁と枠の構造図である。
【図９】本発明のロープ防火壁の図である。
【図１０】本発明のロープ防火壁をロープ押さえ板と枠の要部説明図である。
【図１１】本発明のロープ防火壁の断面詳細説明図である。
【図１２】従来のレールガイド封止部材とレールガイドの斜視図である。
【図１３】本発明の枠上の防火戸の詳細な構造図である。
【図１４】本発明のロープ防火壁先端のロープソケットの詳細構造図である。
【図１５】本発明のロープ防火戸先端のロープソケットの詳細構造図である。
【図１６】本発明の蛇腹式、引き戸式の防火戸開放状態を示す構造図である。
【図１７】本発明の蛇腹式、引き戸式の防火戸の開放状態の取り合い関係図である。
【図１８】本発明の蛇腹式、引き戸式の防火戸閉鎖状態を示す側面図である。
【図１９】従来のレールガイド封止部材とレールガイドの斜視図である。
【図２０】本発明の昇降路煙密閉封止装置の電気回路図である。
【図２１】本発明の図C―C′断面視図である。
【図２２】本発明の蛇腹式の防火戸の詳細説明図である。
【図２３】本発明の引き戸式の防火戸の詳細説明図である。
【図２４】従来の昇降路内の出入口に設けた泡消火装置の説明図である。
【図２５】従来の昇降路内の出入口に設けた泡消火装置の説明図である。
【００１６】
【符号の説明】
１、１８、１９、２１、２２    防火戸
２、１３、１４、１５          防火壁  １６      ロープ防火壁
３        乗りかご                    ４        つり合いおもり
５        レール                      ６        レール
７、８、９、１０、１１、１２、１７、３６        防火戸取付枠
２０      レールガイド封止部材        ２３      レールガイド
２４      ロープ押さえ板              ２５      取付ブラケット
２６      回転軸                      ２７      鍵部
２８      電磁石                      ２９      厚板ゴム
３０      半円穴                      ３１、３２ロープ穴
３１ａ、  ３２ａ割り込み溝            ３３      鍵受部
３４      ロープ                      ３５      ロープソケット
３７      蛇腹式の防火戸              ３８      ワイヤー
３９      鍵部                        ４０      電動機
４１      電動機                      ４２      引き戸式の防火戸
４３      ガイドローラ                ４４      固定部
４５      鍵受部                      ４６      ワイヤー
４７      係止片                      ４８      煙感知器
４９      リレー                      ５０      制御回路
５１      スイッチ                    ５１ａ    常閉接点
５２      カム                        ５３      カム
５４      スイッチ                    ５４ａ    常閉接点
５４ｂ    常開接点                    ５５      防火戸制御回路
５５ａ    常開接点                    ５６      泡消火制御回路
５７      泡放射ノズル                ５８      パイプシャワー式ノズル
６０      ドアー                      ６１      ドアーポケットカバー
【図１】
0003990242.tif 000002
【図２】
0003990242.tif 000003
【図３】
0003990242.tif 000004
【図４】
0003990242.tif 000005
【図５】
0003990242.tif 000006
【図６】
0003990242.tif 000007
【図７】
0003990242.tif 000008
【図８】
0003990242.tif 000009
【図９】
0003990242.tif 000010
【図１０】
0003990242.tif 000011
【図１１】
0003990242.tif 000012
【図１２】
0003990242.tif 000013
【図１３】
0003990242.tif 000014
【図１４】
0003990242.tif 000015
【図１５】
0003990242.tif 000016
【図１６】
0003990242.tif 000017
【図１７】
0003990242.tif 000018
【図１８】
0003990242.tif 000019
【図１９】
0003990242.tif 000020
【図２０】
0003990242.tif 000021
【図２１】
0003990242.tif 000022
【図２２】
0003990242.tif 000023
【図２３】
0003990242.tif 000024
【図２４】
0003990242.tif 000025
【図２５】
0003990242.tif 000026